(57)【要約】【課題】従来、商品の改善提案を行うことが困難であった。【解決手段】商品の２以上の属性値と販売情報とを有する２以上の商品情報を学習した学習情報が格納される学習情報格納部と、商品の２以上の属性値が格納される属性値格納部と、商品の１以上の属性値を有する対象商品情報を受け付ける受付部と、対象商品情報が有さない属性値であり、属性値格納部の属性値である付加候補属性値を取得する候補属性値取得部と、対象商品情報が有する１以上の属性値と前記付加候補属性値とを有する評価商品情報を学習情報に適用し、第二の販売情報を取得する販売情報取得部と、第二の販売情報が予め決められた条件を満たすほど良好であるか否かを判断する判断部と、予め決められた条件を満たすほど良好であると判断した第二の販売情報を取得する元になった付加候補属性値を含む改善情報を出力する改善情報出力部とを具備する情報処理装置により、商品の改善提案を行える。【選択図】図２
2019053684.tif 000002
【特許請求の範囲】
【請求項１】
商品の２以上の属性値と、当該商品の販売に関する販売情報とを有する２以上の商品情報を学習した学習情報が格納される学習情報格納部と、
商品の１以上の属性値を有する対象商品情報を受け付ける受付部と、
前記受付部が受け付けた対象商品情報を前記学習情報に適用し、販売情報を取得する販売情報取得部と、
前記販売情報を出力する販売情報出力部とを具備する情報処理装置。
【請求項２】
商品が採用し得る２以上の属性値が格納される属性値格納部と、
前記対象商品情報が有さない属性値であり、前記属性値格納部の属性値である付加候補属性値を取得する候補属性値取得部とをさらに具備し、
前記販売情報取得部は、
前記受付部が受け付けた対象商品情報に代えて、前記対象商品情報が有する１以上の属性値と前記付加候補属性値とを有する評価商品情報を前記学習情報に適用し、第二の販売情報を取得し、
前記第二の販売情報が、予め決められた条件を満たすほど良好であるか否かを判断する判断部と、
前記判断部が予め決められた条件を満たすほど良好であると判断した前記第二の販売情報を取得する元になった前記付加候補属性値を含む改善情報を出力する改善情報出力部とをさらに具備する請求項１記載の情報処理装置。
【請求項３】
前記予め決められた条件は、
前記販売情報と前記第二の販売情報とを比較した結果、販売に関して改善されていると判断できることであり、
前記判断部が販売に関して改善されていると判断した前記第二の販売情報を取得する元になった前記付加候補属性値を含む改善情報を出力する改善情報出力部をさらに具備する請求項２記載の情報処理装置。
【請求項４】
前記候補属性値取得部は、
前記対象商品情報が有さない属性値であり、前記属性値格納部の属性値である２以上の付加候補属性値を取得し、
前記販売情報取得部は、
前記対象商品情報が有する１以上の属性値と前記２以上の付加候補属性値とを有する評価商品情報を前記学習情報に適用し、第二の販売情報を取得する請求項２または請求項３記載の情報処理装置。
【請求項５】
商品が採用し得る２以上の属性値が格納される属性値格納部と、
前記対象商品情報が有する属性値に代えて採用し得る属性値である変更候補属性値を前記属性値格納部から取得する候補属性値取得部とをさらに具備し、
前記販売情報取得部は、
前記対象商品情報が有する１以上の属性値から前記変更候補属性値に代えられた属性値を除き、前記変更候補属性値を付加した評価商品情報を前記学習情報に適用し、第二の販売情報を取得し、
前記第二の販売情報が、予め決められた条件を満たすほど良好であるか否かを判断する判断部と、
前記判断部が予め決められた条件を満たすほど良好であると判断した前記第二の販売情報を取得する元になった前記変更候補属性値を含む改善情報を出力する改善情報出力部とをさらに具備する請求項１記載の情報処理装置。
【請求項６】
前記予め決められた条件は、
前記販売情報と前記第二の販売情報とを比較した結果、販売に関して改善されていると判断できることであり、
前記判断部が販売に関して改善されていると判断した前記第二の販売情報を取得する元になった前記変更候補属性値を含む改善情報を出力する改善情報出力部とをさらに具備する請求項５記載の情報処理装置。
【請求項７】
前記候補属性値取得部は、
前記対象商品情報が有する２以上の各属性値に代えて採用し得る属性値である２以上の変更候補属性値を前記属性値格納部から取得し、
前記販売情報取得部は、
前記対象商品情報が有する１以上の属性値から前記変更候補属性値に代えられた２以上の属性値を除き、前記２以上の変更候補属性値を付加した評価商品情報を前記学習情報に適用し、第二の販売情報を取得する請求項５または請求項６記載の情報処理装置。
【請求項８】
前記商品の２以上の属性値は、商品の価格を特定する価格情報を含み、
前記付加候補属性値の付加または前記変更候補属性値への変更に対して、変更される価格情報を取得する価格情報変更部とをさらに具備し、
前記販売情報取得部は、
変更前の価格情報に代えて、前記価格情報変更部が取得した変更される価格情報を有する評価商品情報を前記学習情報に適用し、第二の販売情報を取得する請求項２から請求項７いずれか一項に記載の情報処理装置。
【請求項９】
前記商品の２以上の属性値は、商品の機能を識別する機能識別子または商品の２以上の各機能の有無を示す機能有無情報を含む請求項１から請求項８いずれか一項に記載の情報処理装置。
【請求項１０】
前記販売情報は、
商品の販売数を示す情報、または商品の販売総額を示す情報である請求項１から請求項９いずれか一項に記載の情報処理装置。
【請求項１１】
前記受付部は、
２以上の商品情報をも受け付け、
前記２以上の商品情報を機械学習のアルゴリズムにより学習し、学習情報を取得する学習部をさらに具備し、
前記学習情報格納部の学習情報は、前記学習部が取得した学習情報である請求項１から請求項１０いずれか一項に記載の情報処理装置。
【請求項１２】
商品の２以上の属性値と、当該商品の販売に関する販売情報とを有する２以上の商品情報を学習した学習情報が格納される学習情報格納部、受付部、販売情報取得部、販売情報出力部により実現される情報処理方法であって、
前記受付部が、商品の１以上の属性値を有する対象商品情報を受け付ける受付ステップと、
前記販売情報取得部が、前記受付ステップで受け付けられた対象商品情報を前記学習情報に適用し、販売情報を取得する販売情報取得ステップと、
前記販売情報出力部が、前記販売情報を出力する販売情報出力ステップとを具備する情報処理方法。
【請求項１３】
商品の２以上の属性値と、当該商品の販売に関する販売情報とを有する２以上の商品情報を学習した学習情報が格納される学習情報格納部を具備する記録媒体にアクセス可能なコンピュータを、商品の１以上の属性値を有する対象商品情報を受け付ける受付部と、
前記受付部が受け付けた対象商品情報を前記学習情報に適用し、販売情報を取得する販売情報取得部と、
前記販売情報を出力する販売情報出力部として機能させるためのプログラム。
【発明の詳細な説明】
【技術分野】
【０００１】
本発明は、商品の改善提案等を行う情報処理装置等に関するものである。
【背景技術】
【０００２】
従来、ユーザにとって効果的な買い替え条件を提供でき、修理受付側がユーザに不信感を持たれにくい提案をすることができる技術があった（例えば、特許文献１参照）。
【先行技術文献】
【特許文献】
【０００３】
【特許文献１】特開２０１７−１４２７３４号公報
【発明の概要】
【発明が解決しようとする課題】
【０００４】
しかしながら、従来技術においては、商品の改善提案を行うことが困難であった。
【課題を解決するための手段】
【０００５】
本第一の発明の情報処理装置は、商品の２以上の属性値と、商品の販売に関する販売情報とを有する２以上の商品情報を学習した学習情報が格納される学習情報格納部と、商品の１以上の属性値を有する対象商品情報を受け付ける受付部と、受付部が受け付けた対象商品情報を学習情報に適用し、販売情報を取得する販売情報取得部と、販売情報を出力する販売情報出力部とを具備する情報処理装置である。
【０００６】
かかる構成により、商品の販売情報を予測できる。
【０００７】
また、本第二の発明の情報処理装置は、第一の発明に対して、商品が採用し得る２以上の属性値が格納される属性値格納部と、対象商品情報が有さない属性値であり、属性値格納部の属性値である付加候補属性値を取得する候補属性値取得部とをさらに具備し、販売情報取得部は、受付部が受け付けた対象商品情報に代えて、対象商品情報が有する１以上の属性値と付加候補属性値とを有する評価商品情報を学習情報に適用し、第二の販売情報を取得し、第二の販売情報が、予め決められた条件を満たすほど良好であるか否かを判断する判断部と、判断部が予め決められた条件を満たすほど良好であると判断した第二の販売情報を取得する元になった付加候補属性値を含む改善情報を出力する改善情報出力部とをさらに具備する情報処理装置である。
【０００８】
かかる構成により、良好な販売状況となることが予測される商品の属性値の付加についての改善提案が行える。
【０００９】
また、本第三の発明の情報処理装置は、第二の発明に対して、予め決められた条件は、販売情報と第二の販売情報とを比較した結果、販売に関して改善されていると判断できることであり、判断部が販売に関して改善されていると判断した第二の販売情報を取得する元になった付加候補属性値を含む改善情報を出力する改善情報出力部をさらに具備する情報処理装置である。
【００１０】
かかる構成により、販売状況が改善することが予測される商品の属性値の付加についての改善提案が行える。
【００１１】
また、本第四の発明の情報処理装置は、第二または第三の発明に対して、候補属性値取得部は、対象商品情報が有さない属性値であり、属性値格納部の属性値である２以上の付加候補属性値を取得し、販売情報取得部は、対象商品情報が有する１以上の属性値と２以上の付加候補属性値とを有する評価商品情報を学習情報に適用し、第二の販売情報を取得する情報処理装置である。
【００１２】
かかる構成により、販売状況が改善することが予測される商品の２以上の属性値の付加についての改善提案が行える。
【００１３】
また、本第五の発明の情報処理装置は、第一の発明に対して、商品が採用し得る２以上の属性値が格納される属性値格納部と、対象商品情報が有する属性値に代えて採用し得る属性値である変更候補属性値を属性値格納部から取得する候補属性値取得部とをさらに具備し、販売情報取得部は、対象商品情報が有する１以上の属性値から変更候補属性値に代えられた属性値を除き、変更候補属性値を付加した評価商品情報を学習情報に適用し、第二の販売情報を取得し、第二の販売情報が、予め決められた条件を満たすほど良好であるか否かを判断する判断部と、判断部が予め決められた条件を満たすほど良好であると判断した第二の販売情報を取得する元になった変更候補属性値を含む改善情報を出力する改善情報出力部とをさらに具備する情報処理装置である。
【００１４】
かかる構成により、良好な販売状況となることが予測される商品の属性値の変更についての改善提案が行える。
【００１５】
また、本第六の発明の情報処理装置は、第五の発明に対して、予め決められた条件は、販売情報と第二の販売情報とを比較した結果、販売に関して改善されていると判断できることであり、判断部が販売に関して改善されていると判断した第二の販売情報を取得する元になった変更候補属性値を含む改善情報を出力する改善情報出力部とをさらに具備する情報処理装置である。
【００１６】
かかる構成により、販売状況が改善することが予測される商品の属性値の変更についての改善提案が行える。
【００１７】
また、本第七の発明の情報処理装置は、第五または第六の発明に対して、候補属性値取得部は、対象商品情報が有する２以上の各属性値に代えて採用し得る属性値である２以上の変更候補属性値を属性値格納部から取得し、販売情報取得部は、対象商品情報が有する１以上の属性値から変更候補属性値に代えられた２以上の属性値を除き、２以上の変更候補属性値を付加した評価商品情報を学習情報に適用し、第二の販売情報を取得する情報処理装置である。
【００１８】
かかる構成により、販売状況が改善することが予測される商品の２以上の属性値の変更についての改善提案が行える。
【００１９】
また、本第八の発明の情報処理装置は、第二から第七いずれか１つの発明に対して、商品の２以上の属性値は、商品の価格を特定する価格情報を含み、付加候補属性値の付加または変更候補属性値への変更に対して、変更される価格情報を取得する価格情報変更部とをさらに具備し、販売情報取得部は、変更前の価格情報に代えて、価格情報変更部が取得した変更される価格情報を有する評価商品情報を学習情報に適用し、第二の販売情報を取得する情報処理装置である。
【００２０】
かかる構成により、価格の変動も考慮した、商品の改善提案を行える。
【００２１】
また、本第九の発明の情報処理装置は、第一から第八いずれか１つの発明に対して、商品の２以上の属性値は、商品の機能を識別する機能識別子または商品の２以上の各機能の有無を示す機能有無情報を含む情報処理装置である。
【００２２】
かかる構成により、商品の機能改善の提案を行える。
【００２３】
また、本第十の発明の情報処理装置は、第一から第九いずれか１つの発明に対して、販売情報は、商品の販売数を示す情報、または商品の販売総額を示す情報である情報処理装置である。
【００２４】
かかる構成により、販売数または販売総額が増加できる商品の改善提案を行える。
【００２５】
また、本第十一の発明の情報処理装置は、第一から第十いずれか１つの発明に対して、受付部は、２以上の商品情報をも受け付け、２以上の商品情報を機械学習のアルゴリズムにより学習し、学習情報を取得する学習部をさらに具備し、学習情報格納部の学習情報は、学習部が取得した学習情報である情報処理装置である。
【００２６】
かかる構成により、商品情報の学習が行える。
【発明の効果】
【００２７】
本発明による情報処理装置によれば、商品の改善提案を行える。
【図面の簡単な説明】
【００２８】
【図１】実施の形態１における情報システムＡの概念図
【図２】同情報システムＡのブロック図
【図３】同情報処理装置１の動作例について説明するフローチャート
【図４】同改善情報取得処理について説明するフローチャート
【図５】同端末装置２の動作例について説明するフローチャート
【図６】同属性情報管理表を示す図
【図７】同商品価格算出表を示す図
【図８】同商品情報群を示す図
【図９】同改善情報提案画面を示す図
【図１０】同出力例を示す図
【図１１】同コンピュータシステムの概観図
【図１２】同コンピュータシステムのブロック図
【発明を実施するための形態】
【００２９】
以下、情報処理装置等の実施形態について図面を参照して説明する。なお、実施の形態において同じ符号を付した構成要素は同様の動作を行うので、再度の説明を省略する場合がある。
【００３０】
（実施の形態１）
本実施の形態において、商品の２以上の属性値と商品の販売に関する販売情報とを有する２以上の商品情報を学習した学習情報が格納され、商品の１以上の属性値を有する対象商品情報の入力を受け付け、販売情報を出力する情報処理装置を含む情報システムについて説明する。つまり、販売についての予測を行う情報処理装置を含む情報システムについて説明する。なお、商品とは、販売対象であり、サービスも含むと、広く考えても良い。
【００３１】
また、本実施の形態において、付加した場合に販売状況が改善する１または２以上の属性値を出力する情報処理装置を含む情報システムについて説明する。つまり、機能等の付加により、販売の改善の提案を行う情報処理装置を含む情報システムについて説明する。
【００３２】
また、本実施の形態において、変更した場合に販売状況が改善する１または２以上の属性値を出力する情報処理装置を含む情報システムについて説明する。つまり、例えば、色や形状等の属性値の変更により、販売の改善の提案を行う情報処理装置を含む情報システムについて説明する。
【００３３】
また、本実施の形態において、属性値の付加または変更により変動する価格をも考慮して、販売状況が改善する１または２以上の属性値を出力する情報処理装置を含む情報システムについて説明する。つまり、属性値の付加または変更により変動する価格をも考慮して、販売の改善の提案を行う情報処理装置を含む情報システムについて説明する。
【００３４】
さらに、本実施の形態において、学習情報が自動学習する機能を有する情報処理装置を含む情報システムについて説明する。
【００３５】
図１は、本実施の形態における情報システムＡの概念図である。情報システムＡは、情報処理装置１、および１または２以上の端末装置２を備える。情報処理装置１は、ここではいわゆるサーバ装置である。情報処理装置１は、例えば、クラウドサーバやＡＳＰサーバであるが、そのタイプや設置場所は問わない。端末装置２は、スマートフォンやタブレット端末や携帯電話等の携帯端末、いわゆるパソコン等であり、そのタイプは問わない。
【００３６】
図２は、本実施の形態における情報システムＡのブロック図である。
【００３７】
情報処理装置１は、格納部１１、受付部１２、処理部１３、および出力部１４を備える。格納部１１は、学習情報格納部１１１、および属性値格納部１１２を備える。処理部１３は、学習部１３１、候補属性値取得部１３２、価格情報変更部１３３、販売情報取得部１３４、および判断部１３５を備える。出力部１４は、販売情報出力部１４１、および改善情報出力部１４２を備える。
【００３８】
端末装置２は、端末格納部２１、端末受付部２２、端末処理部２３、端末送信部２４、端末受信部２５、および端末出力部２６を備える。
【００３９】
情報処理装置１を構成する格納部１１には、各種の情報が格納される。各種の情報とは、例えば、後述する学習情報、後述する属性値の集合である。各種の情報とは、例えば、１または２以上の価格管理情報である。価格管理情報とは、付加または変更する属性値に対応する増加価格を特定する情報である。価格管理情報は、例えば、（機能１，１０００円）、（機能２，５００円）、（（色，黄），１０００円）、（（サイズ，６５インチ），１００００円）等である。
【００４０】
学習情報格納部１１１は、学習情報が格納される。学習情報は、例えば、学習部１３１が学習を行い、取得した情報である。なお、学習部１３１の詳細については後述する。学習情報は、例えば、２以上の商品情報を学習した情報である。また、学習情報は、例えば、２以上の商品情報の集合でも良い。
【００４１】
商品情報は、商品の２以上の属性値と、販売情報とを有する。属性値は、例えば、商品の機能を識別する機能識別子、商品が採用し得る各機能の有無に関する機能有無情報、商品属性値（例えば、色、形状、重量、タイプなど）、商品属性値の有無に関する属性値有無情報などである。商品の２以上の属性値とは、商品の価格を特定する価格情報を含むことは好適である。販売情報は、商品の販売に関する情報である。販売情報は、例えば、商品の販売数を示す情報、商品の販売総額を示す情報、良く売れるか否かを示す情報などである。
【００４２】
なお、学習情報格納部１１１には、商品識別子と対に２以上の学習情報が格納されていても良い。また、商品識別子とは、商品を識別する情報である。商品は、例えば、テレビ、パソコン、デジカメ、自動車、洋服、住宅等であり、何でも良い。商品を識別する情報は、商品の種類を識別する情報でも良い。
【００４３】
属性値格納部１１２には、商品が採用し得る２以上の属性値が格納される。２以上の各属性値は、例えば、機能識別子、機能有無情報、商品属性値、属性値有無情報のいずれかである。また、商品が採用し得る２以上の属性値は、ベクトルであることは好適である。２以上の属性値は、例えば、（機能１の有無を示す機能有無情報，機能２の有無を示す機能有無情報，・・・，機能Ｎの有無を示す機能有無情報）である。機能の有無を示す機能有無情報は、例えば、「１」（対応する機能あり）、または「０」（対応する機能なし）を採り得る。
【００４４】
属性値格納部１１２は、１以上の各属性に対して、商品が採用し得る２以上の属性値が格納される。属性値格納部１１２は、属性名と属性値との組を多数、格納していても良い。属性名と属性値との組は、例えば、（属性名，属性値）の構造を有し、例えば、（色，白）、（色，黄色）、（色，赤）、（形状，正方形）、（形状，長方形）、（形状，円形）、（部品，液晶）、（部品，有機ＥＬ）、（サイズ，６５インチ）、（サイズ，３８インチ）等である。
【００４５】
受付部１２は、対象商品情報を受け付ける。対象商品情報は、改善する商品に関する情報である。対象商品情報は、商品の１以上の属性値を有する。対象商品情報は、例えば、（１，０，・・・，１）である。なお、対象商品情報が、例えば、（機能１の有無，機能２の有無，・・・，機能Ｎの有無）を有するベクトルデータの場合、（１，０，・・・，１）は、当該商品が機能１と機能Ｎとは有し、機能２は有さないことを示す。なお、対象商品情報は、販売情報を有しても良い。
【００４６】
受付部１２は、２以上の商品情報を受け付けても良い。かかる２以上の商品情報は、学習のための情報である。学習のための商品情報には、販売情報が含まれる。
【００４７】
受付部１２は、例えば、学習指示、改善提案指示、販売予測指示を受け付けても良い。学習指示は、商品情報を学習させる指示である。学習指示は、２以上の商品情報を有する。改善提案指示は、商品の改善に関する改善情報を出力させる指示である。改善提案指示は、対象商品情報を有する。販売予測指示は、販売予測を出力させる指示である。販売予測指示は、対象商品情報を有する。
【００４８】
ここで、受け付けとは、例えば、有線もしくは無線の通信回線を介して、端末装置２から送信された情報の受信である。ただし、受け付けとは、例えば、キーボードやマウス、タッチパネルなどの入力デバイスから入力された情報の受け付け、光ディスクや磁気ディスク、半導体メモリなどの記録媒体から読み出された情報の受け付けなどを含む概念であっても良い。
【００４９】
処理部１３は、各種の処理を行う。各種の処理とは、例えば、学習部１３１、候補属性値取得部１３２、価格情報変更部１３３、販売情報取得部１３４、判断部１３５が行う処理である。
【００５０】
学習部１３１は、２以上の商品情報を機械学習のアルゴリズムにより学習し、学習情報を取得する。ここで、機械学習とは、例えば、ＳＶＲ、深層学習、決定木、ランダムフォレスト、ＳＶＭ等である。ただし、機械学習のアルゴリズムは問わない。学習情報は、商品の１以上の属性値を適用した場合に、販売情報が得られるための情報であれば良い。なお、学習部１３１の処理は公知技術であるので、詳細な説明は省略する。
【００５１】
候補属性値取得部１３２は、１または２以上の付加候補属性値を取得する。付加候補属性値は、受け付けられた対象商品情報が有さない属性値であり、属性値格納部１１２に格納されている属性値である。
【００５２】
候補属性値取得部１３２は、１または２以上の変更候補属性値を属性値格納部１１２から取得する。変更候補属性値は、対象商品情報が有する属性値に代えて採用し得る属性値であり、属性値格納部１１２に格納されている属性値である。ここで、変更候補属性値は、搭載されなくなる機能を示す機能識別子でも良い。
【００５３】
候補属性値取得部１３２は、１または２以上の付加候補属性値、および１または２以上の変更候補属性値を取得しても良い。
【００５４】
価格情報変更部１３３は、付加候補属性値の付加または変更候補属性値への変更に対して、変更される価格情報を取得する。価格情報変更部１３３は、例えば、付加候補属性値に対応する価格情報を格納部１１の価格管理情報から取得し、当該価格情報を加算した変更される価格情報を取得する。また、価格情報変更部１３３は、例えば、変更前の属性値に対応する価格情報を格納部１１の価格管理情報から取得し、かつ変更候補属性値に対応する価格情報を格納部１１の価格管理情報から取得し、変更前の属性値に対応する価格情報を減算し、変更候補属性値に対応する価格情報を加算し、変更される価格情報を取得する。また、価格情報変更部１３３は、例えば、格納部１１に格納されている当該商品の基本価格を示す基本価格情報に、最終的に商品が備える１以上の各属性値（付加候補属性値または変更候補属性値を含む）に対応する価格情報を格納部１１の価格管理情報から取得し、基本価格情報に取得した１以上の価格情報を加算し、変更される価格情報を取得しても良い。なお、付加候補属性値の付加または変更候補属性値への変更に応じた、変更される価格情報の取得アルゴリズムは問わない。
【００５５】
販売情報取得部１３４は、受付部１２が受け付けた対象商品情報を学習情報に適用し、販売情報を取得する。なお、ここでの販売情報は、販売予測の情報である、と言える。販売情報取得部１３４は、例えば、機械学習のアルゴリズムを用いて、対象商品情報を学習情報に適用し、販売情報を取得する。なお、機械学習は、例えば、ＳＶＲ、深層学習、決定木、ランダムフォレスト、ＳＶＭ等である。また、ここで受け付けられる対象商品情報は、販売情報を含まないことは好適である。
【００５６】
また、販売情報取得部１３４は、受付部１２が受け付けた対象商品情報に最も類似する商品情報を選択し、当該商品情報に含まれる販売情報を取得しても良い。さらに、販売情報取得部１３４は、受付部１２が受け付けた対象商品情報に、予め決められた条件を満たすほど類似する２以上の商品情報を選択し、当該商品情報に含まれる２以上の販売情報を取得し、当該２以上の販売情報を統計処理（例えば、平均値の算出、加重平均の算出、多数決など）し、販売情報を取得しても良い。
【００５７】
販売情報取得部１３４は、対象商品情報が有する１以上の属性値と付加候補属性値とを有する評価商品情報を学習情報に適用し、第二の販売情報を取得しても良い。第二の販売情報も、販売情報の同様の情報を採り得る。第二の販売情報は、例えば、販売数に関する情報、販売総額に関する情報、よく売れるか否かに関する情報等である。また、評価商品情報は、商品の改善の提案のために使用する商品情報である。
【００５８】
なお、評価商品情報を学習情報に適用する処理とは、例えば、上述した機械学習の処理である。また、評価商品情報を学習情報に適用する処理とは、例えば、評価商品情報に最も類似する商品情報を学習情報から決定し、当該商品情報に含まれる販売情報を第二の販売情報として取得する処理でも良い。また、評価商品情報を学習情報に適用する処理とは、例えば、評価商品情報に予め決められた条件を満たすほど類似する２以上の商品情報を学習情報から決定し、当該商品情報に含まれる２以上の販売情報を統計処理し、第二の販売情報を取得する処理でも良い。なお、ここでの統計処理とは、例えば、平均値の算出、加重平均の算出、多数決等である。
【００５９】
販売情報取得部１３４は、対象商品情報が有する１以上の属性値と２以上の付加候補属性値とを有する評価商品情報を学習情報に適用し、第二の販売情報を取得しても良い。
【００６０】
販売情報取得部１３４は、対象商品情報が有する１以上の属性値から変更候補属性値に代えられた属性値を除き、変更候補属性値を付加した評価商品情報を学習情報に適用し、第二の販売情報を取得しても良い。
【００６１】
販売情報取得部１３４は、対象商品情報が有する１以上の属性値から変更候補属性値に代えられた２以上の属性値を除き、２以上の変更候補属性値を付加した評価商品情報を学習情報に適用し、第二の販売情報を取得ても良い。
【００６２】
また、販売情報取得部１３４は、対象商品情報が有する１以上の属性値と１以上の付加候補属性値とを有し、かつ対象商品情報が有する１以上の属性値から変更候補属性値に代えられた１以上の属性値を除き、１以上の変更候補属性値を付加した評価商品情報を学習情報に適用し、第二の販売情報を取得しても良い。
【００６３】
販売情報取得部１３４は、変更前の価格情報に代えて、価格情報変更部１３３が取得した変更される価格情報を有する評価商品情報を学習情報に適用し、第二の販売情報を取得しても良い。
【００６４】
販売情報取得部１３４は、受付部１２が受け付けた対象商品情報に代えて、対象商品情報が有する１以上の属性値と付加候補属性値とを有する評価商品情報を学習情報に適用し、第二の販売情報を取得しても良い。
【００６５】
販売情報取得部１３４は、変更前の価格情報に代えて、価格情報変更部１３３が取得した変更される価格情報を有する評価商品情報を学習情報に適用し、第二の販売情報を取得しても良い。
【００６６】
なお、属性値を除く処理は、例えば、属性値に対応する情報を「０」「ＮＵＬＬ」等にすることでも良いし、属性値を削除すること等でも良い。
【００６７】
判断部１３５は、販売情報取得部１３４が取得した第二の販売情報が、予め決められた条件を満たすほど良好であるか否かを判断する。ここで、予め決められた条件を満たすほど良好であることは、例えば、第二の販売情報が閾値以上または閾値より大きいことである。予め決められた条件を満たすほど良好であることは、例えば、販売数量が閾値以上または閾値より大きいこと、または、販売総額が閾値以上または閾値より大きいことである。
【００６８】
また、予め決められた条件は、例えば、販売情報と第二の販売情報とを比較した結果、販売に関して改善されていると判断できることである。つまり、判断部１３５は、販売情報出力部１４１が出力した販売情報と第二の販売情報とを比較し、販売に関して改善されているか否かを判断しても良い。かかることは、例えば、「販売情報＜第二の販売情報」である。「販売情報＜第二の販売情報」は、例えば、販売数が増加している、販売総額が増加している等である。なお、販売情報出力部１４１が出力した販売情報は、販売情報出力部１４１が判断部１３５に渡した販売情報である。
【００６９】
例えば、「販売情報＜第二の販売情報」である場合、判断部１３５は、改善されていると判断する。また、例えば、「第二の販売情報−販売情報＞＝閾値」である場合、判断部１３５は、改善されていると判断する。かかる場合、第二の販売情報、販売情報は、例えば、販売数、販売総額等の数値、３以上の段階のランクを示す情報等である。
【００７０】
また、例えば、販売情報が「あまり売れない」または「良くは売れない」または「売れない」を示す情報であり、第二の販売情報が「よく売れる」「売れる」を示す情報であった場合、判断部１３５は、改善されていると判断する。かかる場合、第二の販売情報、販売情報は、例えば、二値のうちのいずれかの情報である。
【００７１】
出力部１４は、各種の情報を出力する。各種の情報とは、例えば、販売情報、後述する改善情報である。なお、ここで、出力とは、通常、端末装置２等の外部装置への送信である。ただし、出力は、ディスプレイへの表示、プロジェクターを用いた投影、プリンタでの印字、音出力、記録媒体への蓄積、他の処理装置や他のプログラムなどへの処理結果の引渡しなどを含む概念であると考えても良い。
【００７２】
販売情報出力部１４１は、販売情報取得部１３４が取得した販売情報を出力する。ここでの出力は、他の処理への引き渡しでも良いし、送信等でも良い。
【００７３】
改善情報出力部１４２は、改善情報を出力する。改善情報は、商品の改善に関する情報である。改善情報は、商品の改善を提案する情報である。改善情報は、販売の改善のための商品の改善を提案する情報である。改善情報は、例えば、判断部１３５が販売に関して改善されていると判断した第二の販売情報を取得する元になった付加候補属性値を含む情報である。改善情報は、例えば、判断部１３５が販売に関して改善されていると判断した第二の販売情報を取得する元になった変更候補属性値を含む情報である。また、改善情報は、例えば、上記の付加候補属性値、および上記の変更候補属性値を含む情報でも良い。さらに、改善情報は、例えば、変更候補属性値に対応する変更前の属性値を含むことは好適である。なお、改善情報は、付加候補属性値のみでも良い。改善情報は、例えば、付加候補属性値を商品に付加すべき旨情報などである。
【００７４】
端末装置２を構成する端末格納部２１は、各種の情報が格納される。各種の情報とは、例えば、ユーザを識別するユーザ識別子である。各種の情報は、例えば、端末受信部２５が受信した情報である。
【００７５】
端末受付部２２は、各種の指示や情報等を受け付ける。ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。各種の指示や情報等とは、例えば、対象商品情報、改善提案指示、２以上の商品情報等である。改善提案指示は、商品の改善の提案の指示であり、対象商品情報を有する。
【００７６】
各種の指示や情報等の入力手段は、タッチパネルやキーボードやマウスやメニュー画面によるもの等、何でも良い。端末受付部２２は、タッチパネルやキーボード等の入力手段のデバイスドライバーや、メニュー画面の制御ソフトウェア等で実現され得る。
【００７７】
端末処理部２３は、各種の処理とは、例えば、端末受信部２５が受信した情報を表示されるデータに構成する処理である。各種の処理とは、例えば、端末受付部２２が受け付けた指示等を送信する指示等に構成する処理である。
【００７８】
端末送信部２４は、各種の指示や情報等を情報処理装置１に送信する。各種の指示や情報等とは、例えば、端末処理部２３が構成した指示、端末受付部２２が受け付けた指示や情報等である。
【００７９】
端末受信部２５は、各種の情報を情報処理装置１から受信する。各種の情報とは、例えば、販売情報、改善情報である。
【００８０】
端末出力部２６は、各種の情報を取得する。各種の情報とは、例えば、端末受付部２２が受け付けた情報、端末受信部２５が受信した情報、端末処理部２３が構成した情報である。各種の情報とは、例えば、販売情報、改善情報である。
【００８１】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００８２】
格納部１１、学習情報格納部１１１、属性値格納部１１２、および端末格納部２１は、不揮発性の記録媒体が好適であるが、揮発性の記録媒体でも実現可能である。
【００８３】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００８４】
処理部１３、学習部１３１、候補属性値取得部１３２、価格情報変更部１３３、販売情報取得部１３４、判断部１３５、および端末処理部２３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【００８５】
出力部１４、販売情報出力部１４１、改善情報出力部１４２、および端末送信部２４は、例えば、無線または有線の通信手段で実現されるが、放送手段で実現されても良い。
【００８６】
受付部１２、および端末受信部２５は、例えば、無線または有線の通信手段で実現されるが、放送を受信する手段で実現されても良い。
【００８７】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００８８】
次に、情報システムＡの動作について説明する。まず、情報処理装置１の動作例について、図３のフローチャートを用いて説明する。
【００８９】
（ステップＳ３０１）受付部１２は、学習指示を受け付けたか否かを判断する。学習指示を受け付けた場合はステップＳ３０２に行き、学習指示を受け付けない場合はステップＳ３０４に行く。
【００９０】
（ステップＳ３０２）学習部１３１は、ステップＳ３０１で受け付けた学習指示が有する２以上の商品情報を取得する。そして、学習部１３１は、２以上の商品情報が有する２以上の属性値と、販売情報とを対にして機械学習の処理を行い、学習情報を取得する。なお、かかる学習情報に２以上の属性値を適用すると、販売情報が取得される。
【００９１】
（ステップＳ３０３）学習部１３１は、ステップＳ３０２で取得した学習情報を学習情報格納部１１１に蓄積する。ステップＳ３０１に戻る。なお、学習指示が商品を識別する商品識別子を有する場合、学習部１３１は、商品識別子と対にして、学習情報を学習情報格納部１１１に蓄積しても良い。
【００９２】
（ステップＳ３０４）受付部１２は、端末装置２から改善提案指示を受信したか否かを判断する。改善提案指示を受信した場合はステップＳ３０５に行き、改善提案指示を受信しなかった場合はステップＳ３０７に行く。
【００９３】
（ステップＳ３０５）処理部１３は、改善提案指示が有する対象商品情報を用いて、改善情報を取得する。かかる改善情報取得処理について、図４のフローチャートを用いて説明する。
【００９４】
（ステップＳ３０６）改善情報出力部１４２は、ステップＳ３０５で取得された改善情報を端末装置２に送信する。ステップＳ３０１に戻る。
【００９５】
（ステップＳ３０７）受付部１２は、端末装置２から販売予測指示を受信したか否かを判断する。販売予測指示を受信した場合はステップＳ３０８に行き、販売予測指示を受信しなかった場合はステップＳ３０１に戻る。
【００９６】
（ステップＳ３０８）販売情報取得部１３４は、ステップＳ３０７で受信された販売予測指示が有する対象商品情報を取得する。
【００９７】
（ステップＳ３０９）販売情報取得部１３４は、ステップＳ３０８で取得した対象商品情報を学習情報に適用し、販売情報を取得する。
【００９８】
（ステップＳ３１０）販売情報出力部１４１は、ステップＳ３０９で取得された販売情報を端末装置２に送信する。ステップＳ３０１に戻る。
【００９９】
なお、図３のフローチャートにおいて、電源オフや処理終了の割り込みにより処理は終了する。
【０１００】
次に、ステップＳ３０５の改善情報取得処理について、図４のフローチャートを用いて説明する。
【０１０１】
（ステップＳ４０１）候補属性値取得部１３２は、ステップＳ３０４で受信された改善提案指示が有する対象商品情報を取得する。
【０１０２】
（ステップＳ４０２）候補属性値取得部１３２は、１以上の付加候補属性値を属性値格納部１１２から取得する。なお、１以上の付加候補属性値は、対象商品情報が有さない属性値であり、属性値格納部１１２に格納されている属性値である。また、ここで、付加候補属性値を取得できない場合もあり得る。
【０１０３】
（ステップＳ４０３）候補属性値取得部１３２は、１以上の変更候補属性値を属性値格納部１１２から取得する。なお、１以上の変更候補属性値は、対象商品情報が有する属性値に代えて採用し得る属性値であり、属性値格納部１１２に格納されている属性値である。また、ここで、変更候補属性値を取得できない場合もあり得る。
【０１０４】
（ステップＳ４０４）販売情報取得部１３４は、カウンタｉに１を代入する。
【０１０５】
（ステップＳ４０５）販売情報取得部１３４は、ステップＳ４０２で取得された０または１以上の付加候補属性値、およびステップＳ４０３で取得された０または１以上の変更候補属性値の中から選択された１以上の属性値のｉ番目の組み合わせが存在するか否かを判断する。ｉ番目の組み合わせが存在する場合はステップＳ４０６に行き、ｉ番目の組み合わせが存在しない場合はステップＳ４１４に行く。なお、１以上の属性値のｉ番目の組み合わせは、１または２以上の属性値である。なお、Ｎ（Ｎは１以上の自然数）個の情報のうち、１からＮ個の情報の組み合わせを取得する処理は公知技術である。
【０１０６】
（ステップＳ４０６）販売情報取得部１３４は、ｉ番目の組み合わせの１以上の属性値の集合を取得する。かかる１以上の各属性値は、付加候補属性値または変更候補属性値である。
【０１０７】
（ステップＳ４０７）価格情報変更部１３３は、ｉ番目の組み合わせの１以上の属性値を用いて、商品の価格情報を取得する。
【０１０８】
（ステップＳ４０８）販売情報取得部１３４は、ｉ番目の組み合わせの１以上の属性値を用いて、評価商品情報を取得する。なお、評価商品情報は、ステップＳ４０７で取得した価格情報を有することは好適である。
【０１０９】
（ステップＳ４０９）販売情報取得部１３４は、ステップＳ４０８で取得した評価商品情報を学習情報格納部１１１の学習情報に適用し、第二の販売情報を取得する。
【０１１０】
（ステップＳ４１０）販売情報取得部１３４は、ステップＳ３０４で受信された改善提案指示に対応する販売情報を取得する。なお、販売情報取得部１３４は、ステップＳ４０１で取得した対象商品情報を学習情報格納部１１１の学習情報に適用し、販売情報を取得しても良い。また、販売情報取得部１３４は、ステップＳ３０４で受信された改善提案指示が有する販売情報を取得しても良い。
【０１１１】
（ステップＳ４１１）判断部１３５は、ステップＳ４０９で取得された第二の販売情報が予め決められた条件を満たすか否かを判断する。予め決められた条件を満たす場合はステップＳ４１２に行き、予め決められた条件を満たさない場合はステップＳ４１３に行く。なお、判断部１３５は、例えば、ステップＳ４１０で取得された販売情報とステップＳ４０９で取得された第二の販売情報とを比較し、販売に関して改善されているか否かを判断する。改善されていると判断した場合はステップＳ４１２に行き、改善されていないと判断した場合はステップＳ４１３に行く。
【０１１２】
（ステップＳ４１２）判断部１３５は、第二の販売情報の情報を用いて（例えば、販売情報と第二の販売情報との比較結果から）、改善の程度を示す改善スコアを取得する。そして、判断部１３５は、ｉ番目の組み合わせを識別する情報（例えば、ｉ、組み合わせの１以上の属性値）に対応付いて、改善スコアを蓄積する。
【０１１３】
（ステップＳ４１３）販売情報取得部１３４は、カウンタｉを１、インクリメントする。ステップＳ４０５に戻る。
【０１１４】
（ステップＳ４１４）処理部１３は、予め決められた条件を満たすほど改善される１以上の組み合わせを決定する。
【０１１５】
（ステップＳ４１５）処理部１３は、ステップＳ４１４で決定した１以上の組み合わせを用いて、改善情報を構成する。上位処理にリターンする。
【０１１６】
次に、端末装置２の動作例について、図５のフローチャートを用いて説明する。
【０１１７】
（ステップＳ５０１）端末受付部２２は、学習指示を受け付けたか否かを判断する。学習指示を受け付けた場合はステップＳ５０２に行き、学習指示を受け付けない場合はステップＳ５０４に行く。
【０１１８】
（ステップＳ５０２）端末処理部２３は、送信する学習指示を構成する。なお、送信する学習指示は、２以上の商品情報を含む。
【０１１９】
（ステップＳ５０３）端末送信部２４は、ステップＳ５０２で構成した学習指示を情報処理装置１に送信する。ステップＳ５０１に戻る。
【０１２０】
（ステップＳ５０４）端末受付部２２は、改善提案指示を受け付けたか否かを判断する。改善提案指示を受け付けた場合はステップＳ５０５に行き、改善提案指示を受け付けない場合はステップＳ５１０に行く。
【０１２１】
（ステップＳ５０５）端末処理部２３は、送信する改善提案指示を構成する。なお、送信する改善提案指示は、対象商品情報を含む。
【０１２２】
（ステップＳ５０６）端末送信部２４は、ステップＳ５０５で構成した改善提案指示を情報処理装置１に送信する。
【０１２３】
（ステップＳ５０７）端末受信部２５は、情報処理装置１から改善情報を受信したか否かを判断する。改善情報を受信した場合はステップＳ５０８に行き、改善情報を受信しなかった場合はステップＳ５０７に行く。
【０１２４】
（ステップＳ５０８）端末処理部２３は、出力する改善情報を構成する。
【０１２５】
（ステップＳ５０９）端末出力部２６は、ステップＳ５０８で構成された改善情報を出力する。ステップＳ５０１に戻る。
【０１２６】
（ステップＳ５１０）端末受付部２２は、販売予測指示を受け付けたか否かを判断する。販売予測指示を受け付けた場合はステップＳ５１１に行き、販売予測指示を受け付けない場合はステップＳ５０１に戻る。
【０１２７】
（ステップＳ５１１）端末処理部２３は、送信する販売予測指示を構成する。なお、送信する販売予測指示は、対象商品情報を含む。
【０１２８】
（ステップＳ５１２）端末送信部２４は、ステップＳ５１１で構成した販売予測指示を情報処理装置１に送信する。
【０１２９】
（ステップＳ５１３）端末受信部２５は、情報処理装置１から販売情報を受信したか否かを判断する。販売情報を受信した場合はステップＳ５１４に行き、販売情報を受信しなかった場合はステップＳ５１３に行く。
【０１３０】
（ステップＳ５１４）端末処理部２３は、出力する販売情報を構成する。
【０１３１】
（ステップＳ５１５）端末出力部２６は、ステップＳ５１４で構成された販売情報を出力する。ステップＳ５０１に戻る。
【０１３２】
なお、図５のフローチャートにおいて、電源オフや処理終了の割り込みにより処理は終了する。
【０１３３】
以下、本実施の形態における情報システムＡの具体的な動作について説明する。情報システムＡの概念図は図１である。
【０１３４】
今、属性値格納部１１２には、図６に示す属性情報管理表が格納されている。属性情報管理表は、１または２以上の商品が採り得る属性値に関する情報が格納されている。属性情報管理表は、「商品識別子」「商品名」「属性値」を有する。「属性値」は、「機能識別子」「商品属性値」「価格情報」を有する。「商品識別子」は商品を識別するＩＤである。ここでの商品とは、商品の種類である。「商品名」は、商品の種類の名前であり、例えば、「自動車」「テレビ」等である。「機能識別子」は、機能を識別する情報である。「機能１１」「機能１２」等は、機能の名称であり、簡略化した情報である。「機能１１」は、例えば、シートヒーター機能、「機能１２」は、例えば、自動ドア機能等である。機能は、オプションでも良い。また、「商品属性値」は、商品が２以上から選択し得る商品の属性値である。「商品属性値」は、例えば、色、ドアの数、形状、サイズ等である。また、図６において、「要素ＩＤ」は、商品情報をベクトル化した場合の要素の識別情報である。例えば、商品名「自動車」の機能１１と機能１２とを有し、機能１Ｎは有さず、色が「白」、ドアが「４ドア」、価格情報が「２，５００，０００円」である商品情報のベクトルは、（１，１，・・・，０，１，０，０，１，０，・・・２５０００００）となる。自動車の商品情報のベクトルは、ここでは、（機能１１の機能有無情報，機能１２の機能有無情報，・・・，機能１Ｎの機能有無情報，色が「白」の属性値有無情報，色が「黒」の属性値有無情報，色が「赤」の属性値有無情報，ドアが「４ドア」の属性値有無情報，ドアが「２ドア」の属性値有無情報，・・・，価格情報）の構造を採用する。なお、商品情報のベクトルは、商品情報、または商品情報の一部である、としても良い。
【０１３５】
また、格納部１１には、図７に示す自動車の商品価格算出表である。図７は、「属性値」「増加価格」を有する。「属性値」は、商品に付加する機能の機能識別子、または商品が採用し得る商品属性値である。「増加価格」は、対になる属性値を採用した場合に、増加する価格を示す情報である。
【０１３６】
かかる状況で、情報処理装置１の管理者は、端末装置２に対して、図８に示す商品情報群を含む学習指示を入力した、とする。商品情報群は、２以上の商品情報を有する。ここで、商品情報は、機能１１から機能１Ｎまでの各機能の機能有無情報、色、ドア等の商品属性値、価格情報、販売情報を有する。機能有無情報が「１」である場合、対応する機能を有することを示す。機能有無情報が「０」である場合、対応する機能を有さないことを示す。価格情報は、価格（円）を示す。販売情報は、ここでは実績販売台数を示す。
【０１３７】
次に、端末受付部２２は、学習指示を受け付ける。端末処理部２３は、送信する学習指示を構成する。なお、端末処理部２３は、例えば、色、ドア等の商品属性値をベクトルの対応する要素の値に変更する。つまり、端末処理部２３は、色「白」は（・・・，１，０，０，・・・）に変換し、色「黒」は（・・・，０，１，０，・・・）に変換し、色「黒」は（・・・，０，０，１，・・・）に変換する、とする。つまり、端末処理部２３は、図８の「ＩＤ＝１」のレコードから、「商品識別子「１」，商品情報（０，１，・・・，１，１，０，０，１，０，・・・，２１６５０００，８０００）」を取得する。そして、端末処理部２３は、学習指示「商品識別子「１」，商品情報（０，１，・・・，１，１，０，０，１，０，・・・，２１６５０００，８０００）（１，０，・・・，１，０，１，０，０，１，・・・，３２５００００，５６００）・・・（１，１，・・・，１，０，０，１，１，０，・・・，６５４３０００，７２００）・・・」を構成する。次に、端末送信部２４は、構成した学習指示を情報処理装置１に送信する。
【０１３８】
次に、情報処理装置１の受付部１２は、学習指示を受信する。次に、学習部１３１は、受信した学習指示が有する２以上の商品情報「（０，１，・・・，１，１，０，０，１，０，・・・，２１６５０００，８０００）（１，０，・・・，１，０，１，０，０，１，・・・，３２５００００，５６００）・・・（１，１，・・・，１，０，０，１，１，０，・・・，６５４３０００，７２００）・・・」を取得する。次に、そして、学習部１３１は、２以上の商品情報が有する２以上の属性値と、販売情報とを対にして機械学習の処理を行い、学習情報を取得する。そして、学習部１３１は、受信した学習指示が有する商品識別子「１」に対応付けて、取得した学習情報を学習情報格納部１１１に蓄積する。
【０１３９】
なお、上記と同様の処理により、例えば、商品識別子「２」に対応付けて、テレビの学習情報が習情報格納部１１１に蓄積された、とする。
【０１４０】
かかる状況において、以下の３つの具体例について、説明する。具体例１は、搭載する機能、または／および搭載しない機能が決まっている場合であり、搭載または採用が不明な属性値を決定し、条件を満たすほど良好な販売状況となることを予測できる仕様を提案する場合である。具体例２は、販売実績がある商品であるが、売り上げに満足できない商品に対して、改善を提案する場合である。具体例３は、販売予測を行う処理である。
【０１４１】
（具体例１）
今、端末装置２のユーザは、図９に示す改善情報提案画面に対して、図９に示すように、各機能を搭載するか否か、および属性値の選択を入力した、とする。つまり、ユーザは、搭載する機能として「機能１１」を選択し、搭載しない機能として「機能１３」を選択し、他の機能は不明である、とした、とする。また、ユーザは、条件として、販売台数が「７５００」台以上となることが予測される提案を希望していることを入力する（９０１参照）。そして、ユーザは、「送信」ボタン９０２を押下した、とする。
【０１４２】
次に、端末装置２の端末受付部２２は、改善提案指示を受け付ける。次に、端末処理部２３は、送信する改善提案指示を構成する。ここでは、端末処理部２３は、図９の画面への入力を検知し、商品の１以上の属性値を有する対象商品情報（ベクトル）を取得した、とする。ここでは、ベクトルは、（機能１１，機能１２，機能１３，・・・，機能１Ｎ，白，黒，赤，４ドア，２ドア，・・・）＝（１，−，０，・・・，−，−，−，−，−，−，・・・）である。なお、ベクトルの要素「−」は、ＮＵＬＬを示す。また、端末処理部２３は、条件「販売情報＞＝７５００」を取得する。また、端末処理部２３は、図９の画面の情報に含まれる商品識別子「１」と対象商品情報と条件を有する改善提案指示を構成する。次に、端末送信部２４は、構成した改善提案指示を情報処理装置１に送信する。なお、かかる改善提案指示は、改善提案指示「商品識別子「１」，対象商品情報（１，−，０，・・・，−，−，−，−，−，−，・・・），条件「販売情報＞＝７５００」」である。
【０１４３】
次に、情報処理装置１の受付部１２は、端末装置２から改善提案指示を受信する。そして、処理部１３は、改善提案指示が有する対象商品情報を用いて、以下のように改善情報を取得する。つまり、まず、候補属性値取得部１３２は、受信された改善提案指示が有する対象商品情報（１，−，０，・・・，−，−，−，−，−，−，・・・）を取得する。次に、候補属性値取得部１３２は、図６の属性情報管理表から１以上の付加候補属性値、および１以上の変更候補属性値を属性値格納部１１２から取得する。つまり、販売情報取得部１３４は、対象商品情報（１，−，０，・・・，−，−，−，−，−，−，・・・）の中から、ＮＵＬＬ「−」の要素の機能識別子および採り得る商品属性値を取得する。次に、販売情報取得部１３４は、取得した機能識別子および採り得る商品属性値の各組み合わせ、および対象商品情報が有する確定した要素の値を用いて、上記の組み合わせの数の分のベクトルを取得する。次に、価格情報変更部１３３は、各組み合わせの１以上の属性値を、商品識別子「１」に対応する商品価格算出表（図７）に適用し、各ベクトルに対応する価格情報を取得する。そして、販売情報取得部１３４は、上記の組み合わせの数の分のベクトル、および各ベクトルに対応する価格情報を用いて、評価商品情報を取得する。
【０１４４】
次に、販売情報取得部１３４は、販売情報取得部１３４は、上記の組み合わせの数の分の各評価商品情報を学習情報格納部１１１の学習情報に、順に適用し、例えば、機械学習のアルゴリズムにより各組み合わせに対応付けて、上記の組み合わせごとに第二の販売情報を取得する。
【０１４５】
次に、判断部１３５は、各組み合わせに対応する第二の販売情報が条件「第二の販売情報＞＝７５００」を満たすか否かを判断する。そして、条件を満たす組み合わせに対して、判断部１３５は、第二の販売情報（予測販売台数）を改善スコアとして取得し、各組み合わせの１以上の属性値の集合と、改善スコアとを対にして、図示しないバッファに一時蓄積する。
【０１４６】
次に、処理部１３は、バッファ内の改善スコアに基づいて、予め決められた条件を満たすほど改善される１以上の組み合わせを決定する。ここで、処理部１３は、改善スコア（予測販売台数）が上位３までの組み合わせを決定する、とする。なお、処理部１３は、「第二の販売情報＞＝７５００」を満たす全ての組み合わせを取得しても良いことは言うまでもない。
【０１４７】
次に、処理部１３は、決定した３つの組み合わせを用いて、改善情報を構成する。そして、次に、販売情報出力部１４１は、構成された改善情報を端末装置２に送信する。
【０１４８】
次に、端末装置２の端末受信部２５は、情報処理装置１から改善情報を受信する。次に、端末処理部２３は、出力する改善情報を構成する。そして、端末出力部２６は、構成された改善情報を出力する。かかる出力例は、図１０である。
【０１４９】
（具体例２）
今、ユーザは、販売不振の自動車の対象商品情報（機能１２，・・・，機能１Ｎ，色「黒」，ドア「２ドア」・・・,価格情報「３２５００００円」，販売情報「８００台」）を含む改善提案指示を、端末装置２に入力した、とする。すると、端末装置２の端末受付部２２は、かかる改善提案指示を受け付ける。
【０１５０】
次に、端末処理部２３は、送信する改善提案指示を構成する。ここで、端末処理部２３は、上記の処理と同様に、入力された対象商品情報を用いて、ベクトルである対象商品情報（０，１，・・・，１，０，１，０，０，１，・・・，３２５００００，８００）を構成する。次に、端末処理部２３は、商品識別子「１」と対象商品情報（０，１，・・・，１，０，１，０，０，１，・・・，３２５００００，８００）とを含む改善提案指示を構成する。そして、端末送信部２４は、構成した改善提案指示を情報処理装置１に送信する。
【０１５１】
次に、情報処理装置１の受付部１２は、端末装置２から改善提案指示を受信する。そして、処理部１３は、改善提案指示が有する対象商品情報を用いて、以下のように改善情報を取得する。つまり、まず、候補属性値取得部１３２は、受信された改善提案指示が有する対象商品情報（０，１，・・・，１，０，１，０，０，１，・・・，３２５００００，８００）を取得する。次に、候補属性値取得部１３２は、対象商品情報および図６の属性情報管理表を用いて、上記で説明した処理により、１以上の付加候補属性値、および１以上の変更候補属性値を属性値格納部１１２から取得する。なお、候補属性値取得部１３２は、変動し得る２以上の価格情報も候補属性値として取得しても良い。かかる場合、例えば、改善提案指示が価格情報の許容範囲（例えば、「２８０００００以上」）等を有しており、かかる許容範囲の中で、採り得る複数の価格情報（例えば、１０万円単位で、「２８０万円、２９０万円、３００万円、３１０万円、３２０万円、３２５万円」を取得する）を候補属性値として取得しても良い。
【０１５２】
次に、販売情報取得部１３４は、取得した機能識別子および採り得る商品属性値の各組み合わせを取得する。次に、価格情報変更部１３３は、各組み合わせの１以上の属性値を、商品識別子「１」に対応する商品価格算出表（図７）に適用し、各ベクトルに対応する価格情報を取得する。そして、販売情報取得部１３４は、上記の組み合わせの数の分のベクトル、および各ベクトルに対応する価格情報を用いて、評価商品情報を取得する。なお、販売情報取得部１３４は、上述した価格情報の変動も含めて、組み合わせを取得することは好適である。
【０１５３】
次に、販売情報取得部１３４は、上記の組み合わせの数の分の評価商品情報を学習情報格納部１１１の学習情報に適用し、例えば、機械学習のアルゴリズムにより、各組み合わせに対応付けて、第二の販売情報を取得する。
【０１５４】
次に、判断部１３５は、受信された改善提案指示が有する販売情報「８００」を取得する。  次に、判断部１３５は、各組み合わせに対応する第二の販売情報が条件「第二の販売情報＞販売情報（８００）」を満たすか否かを判断する。そして、条件を満たす組み合わせに対して、判断部１３５は、第二の販売情報と販売情報との差（増加予測販売台数）と、改善すべき属性値の数とを用いて、改善スコアを取得する。なお、ここで、判断部１３５は、「第二の販売情報−販売情報」が大きいほど改善スコアを大きくすることは好適である。また、改善すべき属性値の数が少ないほど改善スコアを大きくすることは好適である。次に、判断部１３５は、各組み合わせの１以上の属性値の集合と、改善スコアとを対にして、図示しないバッファに一時蓄積する。
【０１５５】
次に、処理部１３は、バッファ内の改善スコアに基づいて、予め決められた条件を満たすほど改善される１以上の組み合わせを決定する。
【０１５６】
次に、処理部１３は、決定した１以上の組み合わせを用いて、改善情報を構成する。そして、次に、販売情報出力部１４１は、構成された改善情報を端末装置２に送信する。
【０１５７】
次に、端末装置２の端末受信部２５は、情報処理装置１から改善情報を受信する。次に、端末処理部２３は、出力する改善情報を構成する。そして、端末出力部２６は、構成された改善情報を出力する。なお、改善情報の出力態様は問わない。
【０１５８】
（具体例３）
今、端末装置２のユーザは、確定した仕様の自動車の対象商品情報（機能１１，・・・，機能１Ｎ，色「赤」，ドア「２ドア」・・・,価格情報「５２５００００円」）を含む販売予測指示を、端末装置２に入力した、とする。すると、端末装置２の端末受付部２２は、かかる販売予測指示を受け付ける。
【０１５９】
次に、端末処理部２３は、送信する販売予測指示を構成する。ここで、端末処理部２３は、上記の処理と同様に、入力された対象商品情報を用いて、ベクトルである対象商品情報（１，０，・・・，１，０，０，１，０，１，・・・，５２５００００）を構成する。次に、端末処理部２３は、商品識別子「１」と対象商品情報（１，０，・・・，１，０，０，１，０，１，・・・，５２５００００）とを含む販売予測指示を構成する。そして、端末送信部２４は、構成した販売予測指示を情報処理装置１に送信する。
【０１６０】
次に、情報処理装置１の受付部１２は、端末装置２から販売予測指示を受信する。次に、販売情報取得部１３４は、受信された販売予測指示が有する対象商品情報（１，０，・・・，１，０，０，１，０，１，・・・，５２５００００）を取得した、とする。次に、販売情報取得部１３４は、当該対象商品情報を学習情報に適用し、販売情報「７３００」台を取得した。次に、販売情報出力部１４１は、取得された販売情報「７３００」を端末装置２に送信する。
【０１６１】
次に、端末装置２の端末受信部２５は、情報処理装置１から販売情報を受信する。また、端末処理部２３は、出力する販売情報を構成する。ここで、出力する販売情報は、例えば、「頂いた仕様、価格では、予測販売台数は「７３００」台と算出されました。」である。そして、端末出力部２６は、構成された販売情報を出力する。
【０１６２】
以上、本実施の形態によれば、良好な販売状況となることが予測される商品の１以上の属性値の付加についての改善提案が行える。
【０１６３】
また、本実施の形態によれば、販売状況が改善することが予測される商品の１以上の属性値の付加についての改善提案が行える。
【０１６４】
また、本実施の形態によれば、良好な販売状況となることが予測される商品の１以上の属性値の変更についての改善提案が行える。
【０１６５】
また、本実施の形態によれば、販売状況が改善することが予測される商品の１以上の属性値の変更についての改善提案が行える。
【０１６６】
また、本実施の形態によれば、価格の変動も考慮した、商品の改善提案を行える。
【０１６７】
さらに、本実施の形態によれば、商品の販売情報を予測できる。
【０１６８】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、商品の２以上の属性値と、当該商品の販売に関する販売情報とを有する２以上の商品情報を学習した学習情報が格納される学習情報格納部を具備する記録媒体にアクセス可能なコンピュータを、商品の１以上の属性値を有する対象商品情報を受け付ける受付部と、前記受付部が受け付けた対象商品情報を前記学習情報に適用し、販売情報を取得する販売情報取得部と、前記販売情報を出力する販売情報出力部として機能させるためのプログラムである。
【０１６９】
また、上記記録媒体は、商品が採用し得る２以上の属性値が格納される属性値格納部をさらに具備し、上記プログラムは、コンピュータを前記対象商品情報が有さない属性値であり、前記属性値格納部の属性値である付加候補属性値を取得する候補属性値取得部としてさらに機能させ、前記販売情報取得部は、前記受付部が受け付けた対象商品情報に代えて、前記対象商品情報が有する１以上の属性値と前記付加候補属性値とを有する評価商品情報を前記学習情報に適用し、第二の販売情報を取得し、コンピュータを、前記第二の販売情報が、予め決められた条件を満たすほど良好であるか否かを判断する判断部と、前記判断部が予め決められた条件を満たすほど良好であると判断した前記第二の販売情報を取得する元になった前記付加候補属性値を含む改善情報を出力する改善情報出力部としてさらに機能させるプログラムであることは好適である。
【０１７０】
また、上記記録媒体は、商品が採用し得る２以上の属性値が格納される属性値格納部をさらに具備し、上記プログラムは、コンピュータを前記対象商品情報が有する属性値に代えて採用し得る属性値である変更候補属性値を前記属性値格納部から取得する候補属性値取得部としてさらに機能させ、前記販売情報取得部は、前記対象商品情報が有する１以上の属性値から前記変更候補属性値に代えられた属性値を除き、前記変更候補属性値を付加した評価商品情報を前記学習情報に適用し、第二の販売情報を取得し、コンピュータを、前記第二の販売情報が、予め決められた条件を満たすほど良好であるか否かを判断する判断部と、前記判断部が予め決められた条件を満たすほど良好であると判断した前記第二の販売情報を取得する元になった前記付加候補属性値を含む改善情報を出力する改善情報出力部としてさらに機能させるプログラムであることは好適である。
【０１７１】
また、図１１は、本明細書で述べたプログラムを実行して、上述した種々の実施の形態の情報処理装置１等を実現するコンピュータの外観を示す。上述の実施の形態は、コンピュータハードウェア及びその上で実行されるコンピュータプログラムで実現され得る。図１１は、このコンピュータシステム３００の概観図であり、図１２は、システム３００のブロック図である。
【０１７２】
図１１において、コンピュータシステム３００は、ＣＤ−ＲＯＭドライブを含むコンピュータ３０１と、キーボード３０２と、マウス３０３と、モニタ３０４とを含む。
【０１７３】
図１２において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１７４】
コンピュータシステム３００に、上述した実施の形態の情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１７５】
プログラムは、コンピュータ３０１に、上述した実施の形態の情報処理装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１７６】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１７７】
また、上記プログラムを実行するコンピュータは、単数であってもよく、複数であってもよい。すなわち、集中処理を行ってもよく、あるいは分散処理を行ってもよい。
【０１７８】
また、上記各実施の形態において、一の装置に存在する２以上の通信手段は、物理的に一の媒体で実現されても良いことは言うまでもない。
【０１７９】
また、上記各実施の形態において、各処理は、単一の装置によって集中処理されることによって実現されてもよく、あるいは、複数の装置によって分散処理されることによって実現されてもよい。
【０１８０】
本発明は、以上の実施の形態に限定されることなく、種々の変更が可能であり、それらも本発明の範囲内に包含されるものであることは言うまでもない。
【産業上の利用可能性】
【０１８１】
以上のように、本発明にかかる情報処理装置は、商品の改善提案を行えるという効果を有し、機能改善を提案するサーバ装置等として有用である。
【符号の説明】
【０１８２】
１  情報処理装置
２  端末装置
１１  格納部
１２  受付部
１３  処理部
１４  出力部
２１  端末格納部
２２  端末受付部
２３  端末処理部
２４  端末送信部
２５  端末受信部
２６  端末出力部
１１１  学習情報格納部
１１１  習情報格納部
１１２  属性値格納部
１３１  学習部
１３２  候補属性値取得部
１３３  価格情報変更部
１３４  販売情報取得部
１３５  判断部
１４１  販売情報出力部
１４２  改善情報出力部
【図１】
2019053684.tif 000003
【図２】
2019053684.tif 000004
【図３】
2019053684.tif 000005
【図４】
2019053684.tif 000006
【図５】
2019053684.tif 000007
【図６】
2019053684.tif 000008
【図７】
2019053684.tif 000009
【図８】
2019053684.tif 000010
【図９】
2019053684.tif 000011
【図１０】
2019053684.tif 000012
【図１１】
2019053684.tif 000013
【図１２】
2019053684.tif 000014
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
商品の２以上の属性値と、当該商品の販売に関する販売情報とを有する２以上の商品情報を学習した学習情報が格納される学習情報格納部と、
商品の１以上の属性値を有する対象商品情報を受け付ける受付部と、
前記受付部が受け付けた対象商品情報を前記学習情報に適用し、販売情報を取得する販売情報取得部と、
前記販売情報を出力する販売情報出力部とを具備し、
前記学習情報は、前記２以上の商品情報を機械学習のアルゴリズムにより学習し、得られた情報であり、
前記販売情報取得部は、
機械学習のアルゴリズムを用いて、前記受付部が受け付けた対象商品情報を前記学習情報に適用し、販売情報を取得する情報処理装置。
【請求項２】
商品の２以上の属性値と、当該商品の販売に関する販売情報とを有する２以上の商品情報を学習した学習情報が格納される学習情報格納部と、
商品の１以上の属性値を有する対象商品情報を受け付ける受付部と、
前記受付部が受け付けた対象商品情報を前記学習情報に適用し、販売情報を取得する販売情報取得部と、
前記販売情報を出力する販売情報出力部とを具備し、
前記販売情報取得部は、
前記受付部が受け付けた対象商品情報に最も類似する商品情報を選択し、当該商品情報に含まれる販売情報を取得する、または前記受付部が受け付けた対象商品情報に、予め決められた条件を満たすほど類似する２以上の商品情報を選択し、当該商品情報に含まれる２以上の販売情報を取得し、当該２以上の販売情報を統計処理し、販売情報を取得する情報処理装置。
【請求項３】
商品が採用し得る２以上の属性値が格納される属性値格納部と、
前記対象商品情報が有さない属性値であり、前記属性値格納部の属性値である付加候補属性値を取得する候補属性値取得部とをさらに具備し、
前記販売情報取得部は、
前記受付部が受け付けた対象商品情報に代えて、前記対象商品情報が有する１以上の属性値と前記付加候補属性値とを有する評価商品情報を前記学習情報に適用し、第二の販売情報を取得し、
前記第二の販売情報が、予め決められた条件を満たすほど良好であるか否かを判断する判断部と、
前記判断部が予め決められた条件を満たすほど良好であると判断した前記第二の販売情報を取得する元になった前記付加候補属性値を含む改善情報を出力する改善情報出力部とをさらに具備する請求項１または請求項２記載の情報処理装置。
【請求項４】
前記予め決められた条件は、
前記販売情報と前記第二の販売情報とを比較した結果、販売に関して改善されていると判断できることであり、
前記判断部が販売に関して改善されていると判断した前記第二の販売情報を取得する元になった前記付加候補属性値を含む改善情報を出力する改善情報出力部をさらに具備する請求項３記載の情報処理装置。
【請求項５】
前記候補属性値取得部は、
前記対象商品情報が有さない属性値であり、前記属性値格納部の属性値である２以上の付加候補属性値を取得し、
前記販売情報取得部は、
前記対象商品情報が有する１以上の属性値と前記２以上の付加候補属性値とを有する評価商品情報を前記学習情報に適用し、第二の販売情報を取得する請求項３または請求項４記載の情報処理装置。
【請求項６】
商品が採用し得る２以上の属性値が格納される属性値格納部と、
前記対象商品情報が有する属性値に代えて採用し得る属性値である変更候補属性値を前記属性値格納部から取得する候補属性値取得部とをさらに具備し、
前記販売情報取得部は、
前記対象商品情報が有する１以上の属性値から前記変更候補属性値に代えられた属性値を除き、前記変更候補属性値を付加した評価商品情報を前記学習情報に適用し、第二の販売情報を取得し、
前記第二の販売情報が、予め決められた条件を満たすほど良好であるか否かを判断する判断部と、
前記判断部が予め決められた条件を満たすほど良好であると判断した前記第二の販売情報を取得する元になった前記変更候補属性値を含む改善情報を出力する改善情報出力部とをさらに具備する請求項１または請求項２記載の情報処理装置。
【請求項７】
前記予め決められた条件は、
前記販売情報と前記第二の販売情報とを比較した結果、販売に関して改善されていると判断できることであり、
前記判断部が販売に関して改善されていると判断した前記第二の販売情報を取得する元になった前記変更候補属性値を含む改善情報を出力する改善情報出力部とをさらに具備する請求項６記載の情報処理装置。
【請求項８】
前記候補属性値取得部は、
前記対象商品情報が有する２以上の各属性値に代えて採用し得る属性値である２以上の変更候補属性値を前記属性値格納部から取得し、
前記販売情報取得部は、
前記対象商品情報が有する１以上の属性値から前記変更候補属性値に代えられた２以上の属性値を除き、前記２以上の変更候補属性値を付加した評価商品情報を前記学習情報に適用し、第二の販売情報を取得する請求項６または請求項７記載の情報処理装置。
【請求項９】
前記商品の２以上の属性値は、商品の価格を特定する価格情報を含み、
前記付加候補属性値の付加または前記変更候補属性値への変更に対して、変更される価格情報を取得する価格情報変更部とをさらに具備し、
前記販売情報取得部は、
変更前の価格情報に代えて、前記価格情報変更部が取得した変更される価格情報を有する評価商品情報を前記学習情報に適用し、第二の販売情報を取得する請求項３から請求項８いずれか一項に記載の情報処理装置。
【請求項１０】
前記商品の２以上の属性値は、商品の機能を識別する機能識別子または商品の２以上の各機能の有無を示す機能有無情報を含む請求項１から請求項９いずれか一項に記載の情報処理装置。
【請求項１１】
前記販売情報は、
商品の販売数を示す情報、または商品の販売総額を示す情報である請求項１から請求項１０いずれか一項に記載の情報処理装置。
【請求項１２】
前記受付部は、
２以上の商品情報をも受け付け、
前記２以上の商品情報を機械学習のアルゴリズムにより学習し、学習情報を取得する学習部をさらに具備し、
前記学習情報格納部の学習情報は、前記学習部が取得した学習情報である請求項１から請求項１１いずれか一項に記載の情報処理装置。
【請求項１３】
商品の２以上の属性値と、当該商品の販売に関する販売情報とを有する２以上の商品情報を学習した学習情報が格納される学習情報格納部、受付部、販売情報取得部、販売情報出力部により実現される情報処理方法であって、
前記受付部が、商品の１以上の属性値を有する対象商品情報を受け付ける受付ステップと、
前記販売情報取得部が、前記受付ステップで受け付けられた対象商品情報を前記学習情報に適用し、販売情報を取得する販売情報取得ステップと、
前記販売情報出力部が、前記販売情報を出力する販売情報出力ステップとを具備し、
前記学習情報は、前記２以上の商品情報を機械学習のアルゴリズムにより学習し、得られた情報であり、
前記販売情報取得ステップにおいて、
機械学習のアルゴリズムを用いて、前記受付部が受け付けた対象商品情報を前記学習情報に適用し、販売情報を取得する情報処理方法。
【請求項１４】
商品の２以上の属性値と、当該商品の販売に関する販売情報とを有する２以上の商品情報を学習した学習情報が格納される学習情報格納部、受付部、販売情報取得部、販売情報出力部により実現される情報処理方法であって、
前記受付部が、商品の１以上の属性値を有する対象商品情報を受け付ける受付ステップと、
前記販売情報取得部が、前記受付ステップで受け付けられた対象商品情報を前記学習情報に適用し、販売情報を取得する販売情報取得ステップと、
前記販売情報出力部が、前記販売情報を出力する販売情報出力ステップとを具備し、
前記販売情報取得ステップにおいて、
前記受付部が受け付けた対象商品情報に最も類似する商品情報を選択し、当該商品情報に含まれる販売情報を取得する、または前記受付部が受け付けた対象商品情報に、予め決められた条件を満たすほど類似する２以上の商品情報を選択し、当該商品情報に含まれる２以上の販売情報を取得し、当該２以上の販売情報を統計処理し、販売情報を取得するする情報処理方法。
【請求項１５】
商品の２以上の属性値と、当該商品の販売に関する販売情報とを有する２以上の商品情報を学習した学習情報が格納される学習情報格納部を具備する記録媒体にアクセス可能なコンピュータを、商品の１以上の属性値を有する対象商品情報を受け付ける受付部と、
前記受付部が受け付けた対象商品情報を前記学習情報に適用し、販売情報を取得する販売情報取得部と、
前記販売情報を出力する販売情報出力部として機能させるためのプログラムであって、
前記学習情報は、前記２以上の商品情報を機械学習のアルゴリズムにより学習し、得られた情報であり、
前記販売情報取得部は、
機械学習のアルゴリズムを用いて、前記受付部が受け付けた対象商品情報を前記学習情報に適用し、販売情報を取得するものとして、前記コンピュータを機能させるためのプログラム。
【請求項１６】
商品の２以上の属性値と、当該商品の販売に関する販売情報とを有する２以上の商品情報を学習した学習情報が格納される学習情報格納部を具備する記録媒体にアクセス可能なコンピュータを、商品の１以上の属性値を有する対象商品情報を受け付ける受付部と、
前記受付部が受け付けた対象商品情報を前記学習情報に適用し、販売情報を取得する販売情報取得部と、
前記販売情報を出力する販売情報出力部として機能させるためのプログラムであって、
前記販売情報取得部は、
前記受付部が受け付けた対象商品情報に最も類似する商品情報を選択し、当該商品情報に含まれる販売情報を取得する、または前記受付部が受け付けた対象商品情報に、予め決められた条件を満たすほど類似する２以上の商品情報を選択し、当該商品情報に含まれる２以上の販売情報を取得し、当該２以上の販売情報を統計処理し、販売情報を取得するものとして、前記コンピュータを機能させるためのプログラム。